(57)【要約】      （修正有）【課題】簡単な構造で、容器の蓋などをするときに瞬間的に空気を抜く真空吸着作用を生じさせることができるとともに、移動しない置き物の台等としても広く活用できる蓋体を提供する。【解決手段】蓋体に切り欠き部３を折り曲げて、これにより、瞬時に容器などに真空吸着作用を生じさせる。また、シリコーンゴムとしての蓋体を容器６の所定箇所に被せるように置くときに、又は、テーブル面等の所定箇所に置くときに、前記蓋体の可撓性を利用して蓋体の形状を変化させることで、瞬時に容器６などに真空吸着作用を生じさせる。【選択図】図３
0003171600.tif 000002
【実用新案登録請求の範囲】
【請求項１】
蓋としての機能を有するシリコーンゴム等の可撓性を有する合成樹脂製の蓋体において、前記蓋体の所定箇所に通気穴が形成され、
蓋体を容器の所定箇所に被せるように置くときに、又は、テーブル面等の所定箇所に置くときに、前記蓋体の可撓性を利用して及び／又は前記切り欠き部からの折り畳みを利用して蓋体の形状を変化させるとともに、前記所定箇所の面に前記通気穴を接触させることで真空吸着作用を生じさせることを特徴とする蓋体。
【請求項２】
蓋としての機能を有するシリコーンゴム等の可撓性を有する合成樹脂製の蓋体において、前記蓋体を所定箇所から曲げるための切り欠き部が形成され、
蓋体を容器の所定箇所に被せるように置くときに、又は、テーブル面等の所定箇所に置くときに、前記蓋体の可撓性を利用して、及び／又は、前記切り欠き部からの折り畳みを利用して蓋体の形状を変化させることで真空吸着作用を生じさせることを特徴とする蓋体。
【請求項３】
蓋としての機能を有するシリコーンゴム等の可撓性を有する合成樹脂製の蓋体において、前記蓋体の所定箇所に形成される通気穴と、通気穴に着脱自在に被せられる栓を備え、
蓋体を容器の所定箇所に被せるように置くときに、又は、テーブル面等の所定箇所に置くときに、前記蓋体の可撓性を利用して蓋体の形状を変化させることで真空吸着作用を生じさせることを特徴とする蓋体。
【請求項４】
前記蓋体の外周縁に、前記所定箇所に対して水平に接触する水平部が形成されていることを特徴とする請求項１ないし３のいずれか１項記載の蓋体。
【請求項５】
前記蓋体は、円盤状を呈し、その円周上に前記切り欠き部が形成されていることを特徴とする請求項２又は３記載の蓋体。
【請求項６】
前記蓋体は、円盤状を呈し、その中心に前記通気穴が形成される筒状部が設けられていることを特徴とする請求項２記載の蓋体。
【請求項７】
前記栓に空気を貯める貯留部が形成されていることを特徴とする請求項２記載の蓋体。
【請求項８】
前記栓は、前記蓋体よりも熱伝導率の低い部材であることを特徴とする請求項２又は７記載の蓋体。
【考案の詳細な説明】
【技術分野】
【０００１】
本考案は、蓋としての機能を有するシリコーンゴム等の可撓性を有する合成樹脂製の蓋体に関する。
【背景技術】
【０００２】
蓋としての機能を有するシリコーンゴム等の可撓性を有する合成樹脂製の蓋体としては、シリコーン蓋とも呼ばれて、食品を冷蔵庫に保管するときや電子レンジにかけるときなどの容器や、缶詰を開封した後にこれに蓋をするなどに使用されている。
【０００３】
特許文献としては、特許文献１には、下方に開口した袋状の天蓋部と該天蓋部の開口周縁部に設けた該天蓋部より肉厚の輪帯部とを伸縮性を有するシリコーンゴムにて一体に形成した蓋本体と、前記天蓋部に形成した通気孔に該天蓋部の内側から外側への一方向のみに通気可能に設けた逆止弁とを備え、前記蓋本体を拡張して容器の開口部を閉止し、前記輪帯部が前記容器をその外側から締め付けるようにしたゴム製蓋が開示されている（その請求項１参照）。また、特許文献２には、電子レンジ加熱容器と兼用できる食品の真空密閉保存容器として、耐熱・耐冷性及びマイクロ波透過性にして可撓性を有する合成樹脂製容器と通気穴を有する穿設した蓋からなり、蓋は通気穴を閉塞する耐熱・耐冷性のゴム又はゴム状弾性体で傘状に構成された逆止弁と蓋の周縁に連設されたパッキングケースを備え、派キングケース内にパッキンを装着させてなるものが開示されている。また、特許文献３には、食品容器の蓋であって、動物の豚の顔をアレンジしたもので、豚の鼻から空気を抜くようにした意匠登録である。
【先行技術文献】
【特許文献】
【０００４】
【特許文献１】特開２００３−３３５３５６号公報
【特許文献２】特開平４−５７７６２号公報
【特許文献３】意匠登録第１２３２２０７号公報
【考案の概要】
【考案が解決しようとする課題】
【０００５】
しかしながら、上記特許文献１と２では、真空吸着作用を生じさせるものの、構造が複雑で、しかも容器の蓋をするときに瞬間的に真空吸着作用を生じさせることは出来ないと考えられる。なお、特許文献３には、真空吸着作用の説明はない。
他方、上記特許文献のいずれも、冷蔵庫での保存や電子レンジで容器ごと加熱するために使用されるものであり、それ以外の用途には使用できないものであるが、例えば、台所での作業ひとつをとってみても、蓋体は多数使用されているので、更に兼用の幅を広げることが期待される。すなわち、真空吸着作用を生じさせて他の使用用途に活用できるものの出現が期待される。
【０００６】
そこで本考案の目的は、簡単な構造で、容器の蓋などをするときに瞬間的に空気を抜く真空吸着作用を生じさせることできるとともに、真空吸着作用を生じさせて移動しない置き物の台等としても広く活用できる蓋体を提供することにある。
【課題を解決するための手段】
【０００７】
本考案の蓋体は、蓋としての機能を有するシリコーンゴム等の可撓性を有する合成樹脂製の蓋体において、前記蓋鯛の所定箇所に通気穴が形成され、蓋体を容器の所定箇所に被せるように置くときに、又は、テーブル面等の所定箇所に置くときに、前記蓋体の可撓性を利用して蓋体の形状を変化させるとともに、前記所定箇所の面に前記通気穴を接触させることで真空吸着作用を生じさせることを特徴とする。
【０００８】
本考案によれば、蓋体をテーブル面等の所定箇所に置いた状態で、前記蓋体の可撓性を利用して蓋体の形状を変化させることにより、蓋体の外周側から空気を追い出し、前記所定箇所の面に前記通気穴を接触させることで真空吸着作用を生じさせるので、吸盤のように吸着して、移動しない置き物の台（鍋敷きやディスプレイ用の台）として使用することができる。
【０００９】
また、本考案の蓋体は、蓋としての機能を有するシリコーンゴム等の可撓性を有する合成樹脂製の蓋体において、前記蓋体を所定箇所から曲げるための切り欠き部が形成され、蓋体を容器の所定箇所に被せるように置くときに、又は、テーブル面等の所定箇所に置くときに、前記蓋体の可撓性を利用して、及び／又は、前記切り欠き部からの折れ曲がりを利用して、蓋体の形状を変化させて真空吸着作用を生じさせることを特徴とする。
本考案によれば、蓋体を容器に被せるときに、前記蓋体の可撓性を利用するか、又は、前記切り欠き部からの折れ曲がりを利用するか、これらを両方の作用で空気を抜いて、真空吸着作用を生じさせて蓋をする。前記蓋体を切り欠き部から曲げることで、通気穴から空気を抜く真空吸着作用を急激に生じさせることができる。このようにしって、蓋をした容器を冷蔵庫などに保存すると、容器内の食品を腐りにくくすることができる。なお、蓋（ふた）とは、容器や箱などの口・穴を何らかを覆うようにしてふさぐものを言い（広辞苑）、本明細書中で、「蓋としての機能を有する」とは、その形状を問わずに、上記のように、容器や箱などの口・穴を何らかを覆うようにしてふさぐものを言う意味で使用する。
【００１０】
また、本考案の蓋体は、蓋としての機能を有するシリコーンゴム等の可撓性を有する合成樹脂製の蓋体において、空気の出入りをさせるための通気穴と、通気穴に被せられる栓を備え、蓋体を所定の容器に被せた状態で、前記蓋体の可撓性を利用して蓋体の形状を変化させることで、前記栓を介して通気穴から所定量の空気を抜く真空吸着作用を生じさせることを特徴とする。ここで、通気穴に被せられる栓とは、栓が完全に通気穴を完全に密閉する場合のほか、通気穴との間で隙間を保持して一部のみ空気を抜く場合のいずれも含む。なお、通常通り、鍋や皿の蓋や落し蓋等として使用したり、電子レンジで容器内の食品を加熱するときなどにも使用でき、通気穴から空気や蒸気を抜くことができる。
【００１１】
本考案によれば、蓋体を所定の容器に被せるように置いた状態で、前記蓋体の可撓性を利用して蓋体の形状を変化させることで、周辺部から空気を抜くことにより、真空吸着作用を生じさせて蓋をする。そして、食品を冷蔵庫に保管するときは、容器内の食品を腐りにくい状態にして冷蔵庫で保管することができる。また、蓋体が加熱されている食材や容器に蓋をするときでも、栓を使用して、蓋体の形状を変化させることができる。なお、栓が陶器製で、蓋体がシリコーンゴムの場合、前記通気穴を介して、これらの間に生じる隙間からの内部の空気を所定量排出させることができる。
ができる。
【００１２】
本考案としては、前記蓋体の外周縁に配置部に対して水平に接触する水平部が形成されていることが好ましい。
本考案によれば、所定箇所に蓋をするとき、配置箇所と水平部が接触して、外部との空気の接触を遮断して素早く内部を真空状態にすることができる。
【００１３】
本考案としては、前記蓋体を所定箇所から曲げるための切り欠き部が形成されていることが好ましい。
本考案によれば、前記蓋体を切り欠き部から曲げることで、通気穴から空気を抜く真空吸着作用を急激に生じさせることができる。
【００１４】
本考案としては、前記蓋体は、円盤形状を呈しており、その中心に前記通気穴が形成される筒状部が形成されていることが好ましい。
本考案によれば、前記通気穴が形成される筒状部を摘み操作することできるとともに、中央から内部の空気を抜くことができるようになる。
【００１５】
本考案としては、前記栓に空気を貯める貯留部が形成されていることが好ましい。
本考案によれば、前記栓に空気を貯める貯留部が形成されていることから、僅かな量の空気の吸引ができ、これで真空吸着作用を生じさせる。
【００１６】
前記栓は、前記蓋体よりも熱伝導率の低い部材であることが好ましい。例えば、蓋体がシリコーンゴムであるとすると、その筒状部に陶器製の栓が使用される組み合わせが好ましい。
本考案によれば、鍋料理で被せ蓋として蓋体を使用するときでも、陶器製の栓にはその熱を伝え難くできるので、栓を摘みとして使用できる。また、この栓による操作により、前記蓋体の可撓性を介して蓋体の形状を変化させるときにも好適である。
【考案の効果】
【００１７】
本考案によれば、合成樹脂製の部材に通気穴を形成して、前記蓋体の可撓性を利用して蓋体の形状を変化させるとともに、前記所定箇所の面に前記通気穴を接触させることで真空吸着作用を生じさせるので、簡単な構造で、容器の蓋などをするときに瞬間的に空気を抜く真空吸着作用を生じさせることできるとともに、移動しない置き物の台等としても使用可能になる。また、前記蓋体を切り欠き部から曲げることで、真空吸着作用を急激に生じさせることができる。
また、通気穴を塞ぐ栓があることで、真空吸着作用を急激に生じさせることができるとともに、通気穴から内部の空気を所定量排出して真空吸着作用を生じさせるので、食品を冷蔵庫に保管するときは、容器内の食品を腐りにくい状態にして冷蔵庫で保管することができる。
【図面の簡単な説明】
【００１８】
【図１】本考案の一実施形態の蓋体を容器の蓋に適用した例を示す斜視図であり、（ａ）は真空状態を生じさせる前の図であり、（ｂ）は真空状態を生じさせた後の図である。
【図２】上記第１の実施形態の蓋体を示す図であり、（ａ）はその正面図であり、（ｃ）はその平面図であり、（ｄ）はその側面図であり、（ｂ）その断面図である。
【図３】上記一実施形態の蓋体と容器との関係を説明する断面図である。
【図４】上記一実施形態の栓を示す図であり、（ａ）はその正面図であり、（ｂ）はその背面図であり、（ｃ）は栓オ他の例を示す平面図である。
【図５】上記一実施形態の他の使用例を示す斜視図である。
【図６】上記一実施形態の蓋体のみの使用例を示す図であり、（ａ）は真空状態を生じさせる前の図であり、（ｂ）は真空状態を生じさせた後の図である。
【図７】上記図６の使用例を説明する断面図である。
【図８】上記一実施形態の蓋体と他の容器との使用例を示す図である。
【考案を実施するための形態】
【００１９】
以下、本考案を適用した蓋体について、図面を参照しながら詳細に説明する。
【００２０】
本実施の形態は、図１ないし図３に示しように、蓋としての機能を有する蓋体１であり、空気の出入りをさせるための通気穴２と、通気穴２を塞ぐようにして被せられる栓３を備え、容器６に被せるようにして使用される。
蓋体１は、シリコーンゴムである。シリコーンゴム(silicone rubber) とは、シリコーン樹脂（シリコーンを主成分とする合成樹脂）のうち、ゴム状のものであるが、シリコーンゴムの蓋体１は、ほぼ半球状ほどの大きさの曲面を有すると、可撓性に富み、特に外周縁１ａは、容器６の開口部に纏わり付くような弾性変形をするとともに、接着作用も有する。このような可撓性があればＰＥＴやプラスチック製等のような合成樹脂製（シリコーン樹脂製を含む。）でも良いが、可撓性に富み、外周縁がテーブル面のような水平面に接触すると、吸盤のように吸引作用を瞬間的に生じさせるためには、シリコーンゴムが好ましい。本実施の形態の蓋体１は、その厚さが約５ｍｍ程度で、外周縁１ａには、水平部１ａが幅約７ｍｍ程度形成されている。水平部１ａは、テーブル面Ｔと接触して（図７参照）、吸盤のように吸着する作用を生じさせる。また、このような蓋体１は、耐熱性にも、電子レンジにかけるマイクロ波透過性にして耐熱性も有する。なお、蓋体１は、多層構造としても良い。例えば、ＰＥＴ表面にシリコン膜を接着面として多層構造にしても良い。シリコーンゴムの光沢面が接着作用を有するからである。また、同じシリコーンゴムを重ね合わせたり、種類の異なるシリコーンゴムを張り合わせて、鍋の蓋として使用されるとき、表面側に熱が及びにくくしても良い。
【００２１】
蓋体１は、円盤状を呈して、中央には筒状部４が突出して通気穴２が形成されている。すなわち、所定の大きさの曲面形状を呈して、中央が上方に突出した筒状部４が突出形成しており、この筒状部４を貫通する通気穴２が形成されている。また、円盤状の外周円上には、切り欠き部３が形成されている。切り欠き部３は、容器６に蓋をするときなどに、蓋体１を折り曲げて瞬間的に真空吸着作用を生じさせるために形成されている。本実施の形態では、円盤状の蓋体１のほぼ中央に１本形成されているが、複数本形成して、多段になるように折り曲げることも可能である。ほぼ中央に切り欠き部３が設けられ、これにより外周部Ａ１と内周部Ａ２に分割されるが、容器６の外周縁は、上記内周部Ａ２の範囲に収まる大きさの径のものが使用されている。なお、内周部Ａ２と外周部Ａ１で材質を変更したものでも良い。例えば、内周部Ａ２をガラスとし、外周部Ａ１がシリコーンであるような組み合わせで構成しても良い。蓋体の外周側裏面には、皿やお椀などの容器６の外周縁に係止する突起部７が設けられている。容器６の外周縁は、蓋体１の外周縁１ａよりも内側になる大きさである。
【００２２】
通気穴２は、円盤状の蓋体１の中央に形成される筒状部４を貫通して形成されている。そして、この筒状部４には、栓３が着脱自在に取り付けられる。本実施の形態の栓３は、陶器製であり、図４（ａ）（ｂ）に示すように、前記筒状部４と嵌合する穴５ａが形成され、これにより通気穴２を塞ぐ。また、栓５の穴５ａの置くには、空気を貯留する貯留部５ｂが形成されている。したがって、一定量の容器６内の空気をこの貯留部５ｂで貯留することで、瞬間的に容器６内に一部取り込み、真空吸着作用を生じさせる。その後の空気の多く排気させるときは、栓３の隙間から外部に放出される。すなわち、本実施の形態の栓は、陶器製であり、シリコーンゴムの蓋体１の筒状部４に嵌合させても、両者の隙間から内部空気を排出できるようになっている。また、栓５は、通常の蓋としての使用のときの摘み部の役割と、例えば、電子レンジで容器６に蓋体を被せた後、栓５を取り外すときなどに使用されている。また、陶器製の栓５は、ウサギの形をしているが、その形状は問われない。例えば、図４（ｃ）のような外周が矩形状やその他の多角形状でも良い。
【００２３】
したがって、本考案の蓋体１を使用して、食品を容器６に入れて保存すると、真空構造により中身が冷めにくい食器になる。本考案の蓋体１によれば、所定の曲面形状のシリコーン樹脂という可撓性により、皿６やお椀の外周縁に纏わり付くように真空吸着する。そして、切り欠き部３で３段階に高さが変化するので（図５（ｂ））、容器６に入れるものの量に応じて、高さを調節して、これにより内部空気の量を調節して保存することができる。このような使用の場合は、通気穴２のない本実施の形態でも使用可能である。
【００２４】
次に、このように食品を入れた容器６に蓋体１をして、これを冷蔵庫で保存するときは、蓋体１の筒状部４に対して陶器製の栓５を取り付けて、この栓５を摘んで容器６に対して蓋をするようにする。このとき、切り欠き部３から撓んで容器６に対して蓋がされ、このとき瞬間的に内部の空気が所定量抜ける。すなわち、蓋体１の外周辺１ａから内部空気が外部に押し出される。なお、筒状部４と陶器製の栓５との関係では、完全に通気穴２を密閉することとならず、両者の間にできた隙間から空気を外に逃がす作用もする。指で、栓５を軽く抑えるようにすると、蓋体１の内周部Ａ２を容器６内に沈めるようにして容器６に蓋をするが（図５（ｂ））、このときの内周部Ａ２の折れ曲がりにより、瞬間的に容器６内の空気を筒状部４と栓５を介して、栓５の貯留部５ｂで貯めるか、それ以上の空気は、筒状部４と栓５の隅間から外部に放出する。なお、摘み部５を持ち上げると、容器２ごと持ち上がるようになる。また、栓５を使用すれば、蓋体１を直接手で触る必要がなく、安全に操作して、図１（ｂ）の状態に瞬時にすることができる。
したがって、適度に容器６内の空気を抜くことができるので、後はそのまま冷蔵庫に保存すれば良い。冷えるに従って真空度は更に高まっていき完全に密閉される。
【００２５】
次に、冷蔵庫から取り出したときは、筒状部４から栓５を外して、容器６内部に空気を送ることで、真空吸着作用が解除される。そして、電子レンジで容器６の食品を加熱するときは、栓５を外した状態にするか、又は、栓５はしたままでも、容器６に対する蓋として、真空状態ではない状態にして加熱することも可能である。なお、真空密閉したまま電子レンジで加熱して自然に開くようにしても良い。
ここで、本実施の形態の蓋体１の他の使用例としては、図５（ａ）（ｂ）に示すように、栓５を外した蓋体１を使用して、容器６に蓋をする。すなわち、指で筒状部４を摘んで容器に蓋体１で蓋をする。すると、指の力で蓋体１の内周部Ａ２が外周部Ａ１よりも更に低い位置まで下がるが、ここで指で更に下方に下げるようにすると、蓋対の外周からと、筒状部４の通気穴２から空気が抜けて真空吸着作用が生じて、持ち上げることができるようになる。このことを確認してから、筒状部４を栓５で栓をすると真空吸着作用を生じさせることができる。
【００２６】
次に、本実施の形態の蓋体１は、鍋敷きや置き物の台として使用することもでき、この場合は、図６（ａ）（ｂ）と図７に示すように、栓５を外した蓋体１を安定した滑りにくい場所に置いて、上記容器６の蓋の場合とは逆にして（逆さにして）、蓋体１の内周部Ａ２と外周部Ａ１とを手で軽く押すと、切り欠き部３から外周縁１ａと筒状部４がテーブル面Ｔに接触して、通気穴がふさがれるので、真空吸着作用で蓋体１がテーブル面が吸い付くようになる。すなわち、蓋体１の外周部Ａ１の外周側と、内周部Ａ２の筒状部側にかけて一定の面積でテーブル面Ｔと吸盤のように接触する。このような使用は、蓋体１の裏面側の使用である。なお、この裏面側で容器６に蓋をすることもできるが、このときにも、真空吸着用を生じさせる。
【００２７】
ここで、蓋体１を逆にした裏面として容器６に使用する場合としては、図８に示すように、容器２の中央に接触部６ａを設けることで、通気穴２が形成される筒状部４と接触させて、これにより、栓５を使用せずに容器内を真空にすることができる。このように、容器６としては、お椀や鍋やフライパンなどに使用できるが、図８に示すように、中央に接触部（支柱部材）６ａを配置したものを使用することも可能である。このように本実施の形態の蓋体は、表裏面をそれぞれ使用していずれでも真空吸着作用を生じさせる。
【００２８】
以上、本実施形態では、蓋体として円盤状で容器も円形状のもので説明したが、矩形状の蓋体１を使用して、これに対応させて同じく四角形状のものを使用しても良い。また、蓋体としては、三角形状や多角形状等その形状は問わず広くて起用可能である。また、蓋体１の使用例としては、鍋敷きと置き物の台を例に説明したが、これらに限らず、真空機能により移動しないようにする物品に広く適用可能である。
【符号の説明】
【００２９】
１  蓋体、１ａ  外周縁（水平部）、Ａ１  外周部、Ａ２  内周部、
２  通気穴、
３  切り欠き部、
４  筒状部、
５  栓（摘み部）、５ａ  栓の穴、５ｂ  貯留部、
６  容器（器、椀、皿），６ａ  接触部、
Ｔ  テーブル面
【図１】
0003171600.tif 000003
【図２】
0003171600.tif 000004
【図３】
0003171600.tif 000005
【図４】
0003171600.tif 000006
【図５】
0003171600.tif 000007
【図６】
0003171600.tif 000008
【図７】
0003171600.tif 000009
【図８】
0003171600.tif 000010
【手続補正書】
【提出日】平成23年8月24日(2011.8.24)
【手続補正１】
【補正対象書類名】図面
【補正対象項目名】図４
【補正方法】変更
【補正の内容】
【図４】
0003171600.tif 000011
【手続補正書】
【提出日】平成23年9月1日(2011.9.1)
【手続補正１】
【補正対象書類名】実用新案登録請求の範囲
【補正対象項目名】全文
【補正方法】変更
【補正の内容】
【実用新案登録請求の範囲】
【請求項１】
蓋としての機能を有するシリコーンゴム等の可撓性を有する合成樹脂製の蓋体において、前記蓋体の所定箇所に通気穴が形成され、
蓋体を容器の所定箇所に被せるように置くときに、又は、テーブル面等の所定箇所に置くときに、前記蓋体の可撓性を利用して蓋体の形状を変化させるとともに、前記所定箇所の面に前記通気穴を接触させることで真空吸着作用を生じさせることを特徴とする蓋体。
【請求項２】
蓋としての機能を有するシリコーンゴム等の可撓性を有する合成樹脂製の蓋体において、前記蓋体を所定箇所から曲げるための切り欠き部が形成され、
蓋体を容器の所定箇所に被せるように置くときに、又は、テーブル面等の所定箇所に置くときに、前記蓋体の可撓性を利用して、及び／又は、前記切り欠き部からの折り畳みを利用して蓋体の形状を変化させることで真空吸着作用を生じさせることを特徴とする蓋体。
【請求項３】
蓋としての機能を有するシリコーンゴム等の可撓性を有する合成樹脂製の蓋体において、前記蓋体の所定箇所に形成される通気穴と、通気穴に着脱自在に被せられる栓を備え、
蓋体を容器の所定箇所に被せるように置くときに、又は、テーブル面等の所定箇所に置くときに、前記蓋体の可撓性を利用して蓋体の形状を変化させることで真空吸着作用を生じさせることを特徴とする蓋体。
【請求項４】
前記蓋体の外周縁に、前記所定箇所に対して水平に接触する水平部が形成されていることを特徴とする請求項１ないし３のいずれか１項記載の蓋体。
【請求項５】
前記蓋体は、円盤状を呈し、その円周上に前記切り欠き部が形成されていることを特徴とする請求項２記載の蓋体。
【請求項６】
前記蓋体は、円盤状を呈し、その中心に前記通気穴が形成される筒状部が設けられていることを特徴とする請求項１又は３記載の蓋体。
【請求項７】
前記栓に空気を貯める貯留部が形成されていることを特徴とする請求項３記載の蓋体。
【請求項８】
前記栓は、前記蓋体よりも熱伝導率の低い部材であることを特徴とする請求項３記載の蓋体。